(57)【特許請求の範囲】
【請求項１】
貯湯槽と、
貯湯槽に給水する給水経路と、
貯湯槽から給湯する給湯経路と、
水が通過する水側経路と熱媒が通過する熱媒側経路を備えており、水側経路の水と熱媒側経路の熱媒を熱交換する熱交換器と、
貯湯槽と熱交換器の間で水を循環する熱交換器循環路と、
熱交換器循環路において熱交換器の上流に設けられた循環ポンプと、
熱交換器循環路において熱交換器の下流に設けられた開閉弁と、
給水経路における給水圧力の低下を検知する検知手段を備えており、
検知手段が給水圧力の低下を検知したときに、開閉弁を閉じて循環ポンプを駆動する貯湯式給湯システム。
【請求項２】
循環ポンプと熱交換器の間に設けられた第２開閉弁をさらに備えており、
検知手段が給水圧力の低下を検知したときに、開閉弁を閉じて循環ポンプを駆動した後、第２開閉弁を閉じて循環ポンプを停止する請求項１の貯湯式給湯システム。
【請求項３】
貯湯槽と、
貯湯槽に給水する給水経路と、
貯湯槽から給湯する給湯経路と、
水が通過する水側経路と熱媒が通過する熱媒側経路を備えており、水側経路の水と熱媒側経路の熱媒を熱交換する熱交換器と、
貯湯槽と熱交換器の間で水を循環する熱交換器循環路と、
貯湯槽の水を加熱する熱源機と、
給水経路に設けられた給水弁と、
給湯経路に設けられた給湯弁と、
給水経路における給水圧力の低下を検知する検知手段を備えており、
検知手段が給水圧力の低下を検知したときに、給水弁と給湯弁を閉じて熱源機を駆動する貯湯式給湯システム。
【発明の詳細な説明】
【技術分野】
【０００１】
本発明は貯湯式の給湯システムに関する。
【背景技術】
【０００２】
貯湯式の給湯システムは、加熱された湯を貯湯槽に貯湯しておき、貯湯槽に貯湯しておいた湯を必要に応じて給湯する。貯湯式の給湯システムは、例えば発電によって生じる発電熱を給湯の熱源として利用するコージェネレーションシステム等において採用されている。貯湯式の給湯システムの中には、貯湯槽に貯えられた湯を、給湯だけでなく、暖房や風呂の追焚きの熱源として利用するものがある。このような貯湯式給湯システムでは、貯湯槽の上部から高温の湯が送り出され、熱交換器において湯と熱媒を熱交換させて、低温となった湯を貯湯槽の下部に戻す。貯湯槽に貯められている湯はそのまま給湯に利用されるので、清浄な状態を保つ必要がある。
【０００３】
貯湯槽に貯められた湯が循環する熱交換器が破損して、貯湯槽からの湯が通過する水側経路と暖房や風呂の追焚き用の熱媒が通過する熱媒側経路との間の隔壁に孔があいてしまう場合がある。熱交換器において水側経路と熱媒側経路との間の隔壁に孔があいても、水側経路の水圧が維持されていれば、熱媒側経路の熱媒が水側経路に浸入してしまうことはない。しかしながら、断水等によって貯湯槽への給水圧力が低下すると、熱交換器の水側経路の水圧も低下して、熱媒側経路の熱媒が水側経路に浸入するおそれがある。水側経路の湯はその後に貯湯槽に戻されるので、貯湯槽に貯められている湯が汚染されてしまうおそれがある。
【０００４】
特許文献１に、熱交換器が破損した場合に貯湯槽の湯の汚染を防止する技術が開示されている。特許文献１の技術では、貯湯槽との間で湯を循環する熱交換器の上流側と下流側にそれぞれ開閉弁を設け、断水時に上流側の開閉弁と下流側の開閉弁を閉じることによって、熱交換器の水側経路と貯湯槽を切り離す。これによって、貯湯槽に貯められている湯の汚染を防止している。
【０００５】
【特許文献１】特開２００４−５３０５４号公報
【発明の開示】
【発明が解決しようとする課題】
【０００６】
特許文献１の技術では、貯湯槽に貯められた湯の汚染を防ぐことはできるが、上流側の開閉弁と下流側の開閉弁の間に存在する湯は汚染されてしまい、上流側の開閉弁と下流側の開閉弁の間の配管が汚れてしまう。この場合、給湯システムを復旧する際には、熱交換器を修復するだけでは足りず、熱媒の浸入によって汚れてしまった配管の洗浄も行わなければならない。貯湯槽に貯められた湯の汚染を防ぐだけでなく、熱交換器における熱媒側経路から水側経路への熱媒の浸入を防ぐことができれば、貯湯槽と熱交換器の間の配管が汚れてしまうことがない。この場合、給湯システムを復旧する際には、熱交換器を修復するだけで済む。熱交換器における熱媒側経路から水側経路への熱媒の浸入を防ぐ技術が待望されている。
【０００７】
本発明は上記課題を解決する。本発明は貯湯式の給湯システムにおいて、貯湯槽との間で湯を循環する熱交換器が破損した場合であっても、水側経路への熱媒の浸入を防止することができる技術を提供する。
【課題を解決するための手段】
【０００８】
本発明は貯湯式の給湯システムとして具現化される。その貯湯式給湯システムは、貯湯槽と、貯湯槽に給水する給水経路と、貯湯槽から給湯する給湯経路と、水が通過する水側経路と熱媒が通過する熱媒側経路を備えており、水側経路の水と熱媒側経路の熱媒を熱交換する熱交換器と、貯湯槽と熱交換器の間で水を循環する熱交換器循環路と、熱交換器循環路において熱交換器の上流に設けられた循環ポンプと、熱交換器循環路において熱交換器の下流に設けられた開閉弁と、給水経路における給水圧力の低下を検知する検知手段を備えている。その貯湯式給湯システムは、検知手段が給水圧力の低下を検知したときに、開閉弁を閉じて循環ポンプを駆動する。
【０００９】
上記の貯湯式給湯システムでは、給水経路における給水圧力の低下を検出すると、開閉弁を閉じた状態で循環ポンプを駆動する。これによって、循環ポンプと開閉弁の間に存在する熱交換器の水側経路の水圧が高く維持されて、熱媒側経路からの熱媒の浸入を防止することができる。貯湯槽の水が汚染されることを防ぐことができる。また、熱交換器循環路への熱媒の浸入を防止するので、熱交換器循環路の配管が熱媒によって汚れることを防ぐことができる。
【００１０】
上記の貯湯式給湯システムは、循環ポンプと熱交換器の間に設けられた第２開閉弁をさらに備えており、検知手段が給水圧力の低下を検知したときに、開閉弁を閉じて循環ポンプを駆動した後、第２開閉弁を閉じて循環ポンプを停止することが好ましい。
【００１１】
上記の貯湯式給湯システムでは、循環ポンプを駆動することで熱交換器の水側経路の水圧を上昇させた後、第２開閉弁を閉じることで、熱交換器の水側経路の水を高圧のまま封止する。循環ポンプを駆動し続けることなく、熱交換器の水側経路の水を高圧に維持して、熱媒側経路からの熱媒の浸入を防止することができる。
【００１２】
本発明の他の一つの貯湯式給湯システムは、貯湯槽と、貯湯槽に給水する給水経路と、貯湯槽から給湯する給湯経路と、水が通過する水側経路と熱媒が通過する熱媒側経路を備えており、水側経路の水と熱媒側経路の熱媒を熱交換する熱交換器と、貯湯槽と熱交換器の間で水を循環する熱交換器循環路と、貯湯槽の水を加熱する熱源機と、給水経路に設けられた給水弁と、給湯経路に設けられた給湯弁と、給水経路における給水圧力の低下を検知する検知手段を備えている。その貯湯式給湯システムは、検知手段が給水圧力の低下を検知したときに、給水弁と給湯弁を閉じて熱源機を駆動する。
【００１３】
上記の貯湯式給湯システムでは、給水経路における給水圧力の低下を検出すると、給水弁と給湯弁を閉じた状態で熱源機を駆動する。これによって、貯湯槽の水の温度が上昇して、貯湯槽、熱交換器循環路および熱交換器の水側経路の水の圧力が上昇する。熱交換器の水側経路の水圧が高く維持されて、熱媒側経路からの熱媒の浸入を防止することができる。貯湯槽の水が汚染されることを防ぐことができる。また、熱交換器循環路への熱媒の浸入を防止するので、熱交換器循環路の配管が熱媒によって汚れることを防ぐことができる。
【発明の効果】
【００１４】
本発明の貯湯式給湯システムによれば、貯湯槽との間で湯を循環する熱交換器が破損した場合であっても、水側経路への熱媒の浸入を防止することができる。
【発明を実施するための最良の形態】
【００１５】
以下、本発明の好適な実施形態を説明する。
（形態１）貯湯式給湯システムは、コージェネレーションシステムに組み込まれている。
【実施例】
【００１６】
本発明を具現化した一実施例を図面を参照しながら説明する。図１に示すように、本実施例のコージェネレーションシステム２は、発電ユニット１５０、給湯ユニット１０、熱負荷１０８を備えている。
【００１７】
発電ユニット１５０は、燃料電池（図示省略）、改質器（図示省略）、熱媒循環経路１５２、熱回収用熱交換器１５４を備えている。燃料電池は、改質器で生成される水素ガスを空気中の酸素と反応させて発電を行う。発電に伴って発電熱が発生し、発電熱によって熱媒循環経路１５２内の熱媒が加熱される。発電熱によって加熱された熱媒は熱回収用熱交換器１５４の熱媒側経路を通過して冷却される。
【００１８】
給湯ユニット１０は、貯湯部１２、バーナ部６８、暖房用熱交換器１１４、風呂用熱交換器１２４、各種流路、コントローラ１４６等を備えている。
【００１９】
コントローラ１４６は、制御プログラムを記憶している。コントローラ１４６には、リモコン１４８の操作信号と、以下で説明する各種流量センサの検出信号と各種サーミスタの検出信号等が入力される。リモコン１４８は、浴室、洗面所、台所等にそれぞれ配設されている。コントローラ１４６は、入力された信号を制御プログラムで処理し、以下で説明する各種ポンプ、各種弁、バーナ等を制御する。
【００２０】
貯湯部１２は、貯湯タンク１４、タンク上部サーミスタ１５、第１タンクサーミスタ１６、第２タンクサーミスタ１８、第３タンクサーミスタ２０、第４タンクサーミスタ２２を備えている。貯湯タンク１４は内部に温水を貯えることができる密閉型の容器である。タンク上部サーミスタ１５は貯湯タンク１４の頂部から内部に差し込まれており、貯湯タンク１４の頂部から５リットルの位置の温水の温度を直接検出する。第１タンクサーミスタ１６、第２タンクサーミスタ１８、第３タンクサーミスタ２０、第４タンクサーミスタ２２は、貯湯タンク１４の外側壁面に設けられており、それぞれ貯湯槽の頂部から４５リットル、８５リットル、１２５リットル、１６５リットルの位置の温水の温度を検出する。タンク上部サーミスタ１５および第１タンクサーミスタ１６、第２タンクサーミスタ１８、第３タンクサーミスタ２０、第４タンクサーミスタ２２の検出信号はコントローラ１４６に出力される。
【００２１】
貯湯タンク１４の底部には、貯湯タンク１４に水道水を給水する給水経路２４が接続されている。給水経路２４には、減圧弁２６、給水サーミスタ２８、給水量センサ３０、給水量サーボ３２、混合サーボ３４、圧力スイッチ３３が介装されている。減圧弁２６は、給水経路２４の上流端近傍に配置されている。減圧弁２６は給水圧力を調整するものであり、減圧弁２６の下流側圧力が低下すると開き、圧力を所定の調圧値に維持しようとする。このため、貯湯タンク１４内の温水が減少したり、後述する混合サーボ３４が開いたりすると、減圧弁２６の作用によって水道水が給水される。給水サーミスタ２８は、給水される水道水の温度を検出する。給水量センサ３０は、給水される水道水の流量を検出する。給水サーミスタ２８の検出信号と給水量センサ３０の検出信号はコントローラ１４６に出力される。給水量サーボ３２と混合サーボ３４は、いずれもステッピングモータを内蔵しており、これが駆動されることによって開度が調整されて流量を変化させる。給水量サーボ３２は、給水される水道水の流量を調整する。給水量サーボ３２の開度はコントローラ１４６によって制御される。混合サーボ３４は、給水経路２４と混合経路３６の接続部に配置されている。混合サーボ３４については後で詳述する。圧力スイッチ３３は給水経路２４の給水量サーボ３２と混合サーボ３４の間に設けられており、水圧が規定圧力以上のときはオン信号を出力しており、水圧が規定圧力を下回るとオフ信号を出力する。圧力スイッチ３３の出力信号はコントローラ１４６に出力される。
【００２２】
給水経路２４の混合サーボ３４の下流側に排水経路３８が接続されている。排水経路３８の他端は圧力開放経路４２に接続されている。圧力開放経路４２はコージェネレーションシステムの外部に開放されている。排水経路３８には排水弁４０が介装されている。排水弁４０の開閉は手動で行う。排水弁４０が開かれると、貯湯タンク１４内の温水が排水経路３８と圧力開放経路４２を経て排水される。
【００２３】
貯湯タンク１４の頂部には、貯湯タンク１４内の温水を給湯栓４４に給湯する給湯経路４６が接続されている。給湯栓４４は、浴室、洗面所、台所等にそれぞれ配設されている。給湯経路４６には、圧力逃し弁４８、温水電磁弁５０、高温サーミスタ５２、給湯サーミスタ５４が介装されている。また、給湯経路４６には、先述の混合経路３６が接続されている。混合経路３６は、温水電磁弁５０の下流側であり、かつ高温サーミスタ５２と給湯サーミスタ５４の間に接続されている。
【００２４】
圧力逃し弁４８は圧力開放経路４２と接続されている。温水電磁弁５０は、給湯が開始されると開かれ、給湯が終了すると閉じられる。給湯が開始されたか否かは、給水量センサ３０の検出流量に基づいてコントローラ１４６によって判断される。高温サーミスタ５２は、貯湯タンク１４から送り出された温水の温度を検出する。給湯サーミスタ５４は、給湯経路４６からの温水と混合経路３６からの水道水との混合水の温度を検出する。高温サーミスタ５２と給湯サーミスタ５４の検出信号はコントローラ１４６に出力される。給湯経路４６からの温水と混合経路３６からの水道水との混合比は、混合サーボ３４の開度によって調整される。混合サーボ３４の開度を調整することによって給湯温度を調温することができる。混合サーボ３４の開度は、給水サーミスタ２８の検出温度と給湯サーミスタ５４の検出温度に基づいてコントローラ１４６によって指示される。
【００２５】
貯湯タンク１４と発電ユニット１５０は熱回収循環経路５６によって接続されている。熱回収循環経路５６は熱回収用熱交換器１５４の水側経路を通過するように配設されている。熱回収循環経路５６は、貯湯タンク１４から熱回収用熱交換器１５４へ向かう経路が熱回収循環往路５６ａであり、熱回収用熱交換器１５４から貯湯タンク１４へ向かう経路が熱回収循環復路５６ｂである。
【００２６】
熱回収循環往路５６ａは貯湯タンク１４の底部と熱回収用熱交換器１５４の上流端を接続している。熱回収循環往路５６ａには熱回収循環ポンプ５８と循環往路サーミスタ６０が介装されている。熱回収循環ポンプ５８は熱回収循環経路５６内の温水を循環させる。熱回収循環ポンプ５８は、発電運転中や熱回収循環経路５６内の温水の凍結防止運転中に駆動される。熱回収循環ポンプ５８の駆動はコントローラ１４６によって制御される。循環往路サーミスタ６０は、貯湯タンク１４の近傍に配置されて、貯湯タンク１４から送り出される温水の温度を検出する。循環往路サーミスタ６０の検出信号はコントローラ１４６に出力される。
【００２７】
熱回収循環復路５６ｂは熱回収用熱交換器１５４の下流端と貯湯タンク１４の頂部を接続している。熱回収循環復路５６ｂには循環復路サーミスタ６２と熱回収三方弁６４が介装されている。循環復路サーミスタ６２は熱回収三方弁６４の上流側に配置されて、熱回収用熱交換器１５４を通過した後の温水の温度を検出する。循環復路サーミスタ６２の検出信号はコントローラ１４６に出力される。熱回収三方弁６４は入口６４ａと２つの出口６４ｂ、６４ｃを有している。熱回収循環復路５６ｂの上流側部分が入口６４ａに接続されており、熱回収循環復路５６ｂの下流側部分が出口６４ｃに接続されている。熱回収三方弁６４の出口６４ｂにはタンクバイパス経路６６の一端が接続されている。タンクバイパス経路６６の他端は熱回収循環往路５６ａの途中に接続されている。熱回収三方弁６４の入口６４ａと出口６４ｃが連通すると、発電ユニット１５０と貯湯タンク１４を経由する循環経路が形成され、熱回収三方弁６４の入口６４ａと出口６４ｂが連通すると、発電ユニット１５０を経由して貯湯タンク１４をバイパスする循環経路が形成される。熱回収三方弁６４の切換えはコントローラ１４６によって制御される。
【００２８】
バーナ部６８は、バーナ７０、潜熱熱交換器７２、顕熱熱交換器７４を備えている。バーナ７０は、ガスを燃料として燃焼する。バーナ７０で発生する燃焼排ガスの熱によって潜熱熱交換器７２内の温水が予備加熱される。このときの燃焼排ガスの温度低下によって燃焼排ガス中の水蒸気が凝縮し、窒素酸化物が溶け込んだ酸性ドレンが生成される。潜熱熱交換器７２で予備加熱された温水は、顕熱熱交換器７４でバーナ７０の燃焼熱によって再加熱される。
【００２９】
潜熱熱交換器７２には、ドレンを排出又は回収するためのドレン経路９２が接続されている。ドレン経路９２は、圧力開放経路４２に接続されている。ドレン経路９２には、中和器９４が介装されている。中和器９４内には炭酸カルシウムが充填されている。酸性のドレンは、中和器９４内を通過する間に、炭酸カルシウムによってｐＨ６から７に中和される。ドレン経路９２の中和器９４の下流側には、オーバーフロー経路９８が接続している。オーバーフロー経路９８の他端はシスターン１００に接続されており、シスターン１００内の温水が所定の水位を超える場合に、その所定の水位を超える分の温水をシスターン１００から排出する。
【００３０】
貯湯タンク１４とバーナ部６８はバーナ循環経路７６によって接続されている。バーナ循環経路７６は、バーナ部６８内の潜熱熱交換器７２と顕熱熱交換器７４を順に通過するように配設されている。バーナ循環経路７６は、貯湯タンク１４からバーナ部６８へ向かう経路がバーナ循環往路７６ａであり、バーナ部６８から貯湯タンク１４へ向かう経路がバーナ循環復路７６ｂである。
【００３１】
バーナ循環往路７６ａは、貯湯タンク１４の中間部（タンク上部サーミスタ１５と第１タンクサーミスタ１６との中間）に接続する第１バーナ循環往路７７と、貯湯タンク１４の下部に連通する給水経路２４と接続する第２バーナ循環往路７９と、第１バーナ循環往路７７と第２バーナ循環往路７９が合流する個所に設けられたバーナ循環三方弁７８を備えている。バーナ循環三方弁７８は２つの入口７８ａ，７８ｂと出口７８ｃを有している。バーナ循環三方弁７８の入口７８ａには第２バーナ循環往路７９の一端が接続されている。バーナ循環三方弁７８の入口７８ｂには第１バーナ循環往路７７の一端が接続されている。バーナ循環三方弁７８の出口７８ｃは潜熱熱交換器７２の上流端に連通している。バーナ循環三方弁７８の入口７８ａと出口７８ｃが連通すると、貯湯タンク１４の下部からバーナ部６８に向かう経路が形成され、バーナ循環三方弁７８の入口７８ｂと出口７８ｃが連通すると、貯湯タンク１４の中間部からバーナ部６８に向かう経路が形成される。バーナ循環三方弁７８の切換えはコントローラ１４６によって制御される。
【００３２】
バーナ循環往路７６ａのバーナ循環三方弁７８よりも下流側には、バーナ循環ポンプ８０、バーナ循環水量センサ８２、バーナ循環水量サーボ８４、バーナ入口サーミスタ８３が介装されている。バーナ循環ポンプ８０はバーナ循環経路７６内で温水を循環させる。バーナ循環ポンプ８０の駆動はコントローラ１４６によって制御される。バーナ循環水量センサ８２は、バーナ循環経路７６内の温水の流量を検出する。バーナ循環水量センサ８２の検出信号はコントローラ１４６に出力される。バーナ循環水量サーボ８４はステッピングモータを内蔵しており、これが駆動されることによって開度が調整されて流量を変化させる。バーナ循環水量サーボ８４は、バーナ循環経路７６内の温水の流量を調整する。バーナ循環水量サーボ８４の開度はコントローラ１４６によって制御される。バーナ入口サーミスタ８３は、バーナ部６８に流入する温水の温度を検出する。バーナ入口サーミスタ８３の検出信号はコントローラ１４６に出力される。
【００３３】
バーナ循環復路７６ｂのバーナ部６８の出口近傍にはバーナ出口サーミスタ８８が介装されている。バーナ出口サーミスタ８８は、バーナ部６８を通過した後の温水の温度を検出する。バーナ循環復路７６ｂは、バーナ出口サーミスタ８８よりも下流で、暖房バイパス経路１７２と、暖房熱交換経路１７４に分岐している。暖房バイパス経路１７２は貯湯タンク１４の頂部に接続している。暖房熱交換経路１７４は暖房用熱交換器１１４の水側経路を経由して暖房バイパス経路１７２に合流する。暖房熱交換経路１７４には熱交換器出口サーミスタ９０が介装されている。熱交換器出口サーミスタ９０は、暖房用熱交換器１１４の下流側に配置されて、暖房用熱交換器１１４を通過した後の温水の温度を検出する。バーナ出口サーミスタ８８の検出信号と熱交換器出口サーミスタ９０の検出信号はコントローラ１４６に出力される。
【００３４】
暖房熱交換経路１７４の熱交換器出口サーミスタ９０よりも下流に、第２タンクバイパス経路１６６の一端が接続している。第２タンクバイパス経路１６６の他端は、バーナ循環往路７６ａのバーナ循環三方弁７８とバーナ循環ポンプ８０の間に接続している。
【００３５】
暖房熱交換経路１７４の熱交換器出口サーミスタ９０よりも下流に、第２バーナ循環復路１６８の一端が接続している。第２バーナ循環復路１６８の他端は、貯湯タンク１４の下部に接続している。
【００３６】
暖房バイパス経路１７２には、第１制御弁１７０が設けられている。暖房熱交換経路１７４の第２バーナ循環復路１６８および第２タンクバイパス経路１６６の接続個所よりも下流には、第２制御弁１６０が設けられている。第２タンクバイパス経路１６６には、第３制御弁１６２が設けられている。第２バーナ循環復路１６８には、第４制御弁１６４が設けられている。第１制御弁１７０、第２制御弁１６０、第３制御弁１６２、第４制御弁１６４の開閉は、コントローラ１４６によって制御される。第１制御弁１７０、第２制御弁１６０、第３制御弁１６２、第４制御弁１６４の何れかが開いた状態でバーナ循環ポンプ８０を駆動することで、バーナ循環経路７６を温水が循環する。
【００３７】
給湯経路４６からは、シスターン給水経路１０２が分岐している。シスターン給水経路１０２には、負圧弁１０４、シスターン給水弁１０６が介装されている。負圧弁１０４は、断水時等で給水経路２４が負圧になったときに開かれ、大気を吸引して貯湯タンク１４の負圧による破損を防止する。シスターン給水弁１０６は、シスターン１００に貯湯タンク１４からの温水を給水するときに開かれる。シスターン１００内の温水は図示しない水位センサによって水位が監視されている。シスターン１００内の温水の水位が、所定の水位範囲内であるときにはシスターン給水弁１０６は閉じられており、所定の水位範囲を逸脱したことが判別されるとシスターン給水弁１０６が開かれる。シスターン給水弁１０６の開閉はコントローラ１４６によって制御される。シスターン１００内の温水は、暖房や風呂の追焚き用の熱媒として使用される。
【００３８】
本実施例では、熱負荷１０８は暖房装置、風呂装置、給湯装置を有している。暖房装置の端末機としては、エアコンと床暖房機を有している。図１中では、エアコンと床暖房機を暖房端末機１１０として示している。シスターン１００と暖房端末機１１０は暖房循環経路１１２によって接続されている。暖房循環経路１１２は、シスターン１００から暖房端末機１１０へ向かう経路が暖房循環往路１１２ａであり、暖房端末機１１０からシスターン１００へ向かう経路が暖房循環復路１１２ｂである。暖房循環往路１１２ａは暖房用熱交換器１１４の熱媒側経路を通過するように配設されている。暖房循環往路１１２ａには、暖房循環ポンプ１１６、暖房循環サーミスタ１１８が介装されている。暖房循環ポンプ１１６は、熱媒（シスターン１００内の温水）を暖房循環経路１１２内で循環させる。暖房循環ポンプ１１６は、リモコン１４８のスイッチの操作に伴って駆動される。暖房循環ポンプ１１６の駆動はコントローラ１４６によって制御される。暖房循環サーミスタ１１８は、暖房用熱交換器１１４の下流側に配置されて、暖房用熱交換器１１４を通過した後の熱媒の温度を検出する。暖房循環サーミスタ１１８の検出信号はコントローラ１４６に出力される。暖房端末機１１０内の暖房循環経路１１２には暖房熱動弁１２０が介装されている。暖房熱動弁１２０は、リモコン１４８のスイッチの操作に伴って開閉する。暖房熱動弁１２０の開閉はコントローラ１４６によって制御される。
【００３９】
暖房循環往路１１２ａの暖房用熱交換器１１４の下流側であり、かつ暖房循環サーミスタ１１８の下流側からは、追焚き経路１２２が分岐している。追焚き経路１２２の下流端は暖房循環復路１１２ｂのシスターン１００近傍に接続されている。追焚き経路１２２は風呂用熱交換器１２４を通過するように配設されている。暖房循環往路１１２ａ内の熱媒の熱は、風呂用熱交換器１２４に入力される。追焚き経路１２２には、追焚き熱動弁１２６が介装されている。追焚き熱動弁１２６は、風呂の追焚きスイッチの操作に伴って開閉する。追焚き熱動弁１２６の開閉はコントローラ１４６によって制御される。
【００４０】
風呂の浴槽１２８には風呂循環経路１３０が接続されている。風呂循環経路１３０は、風呂用熱交換器１２４を通過するように配設されている。風呂循環経路１３０は、浴槽１２８から風呂用熱交換器１２４へ向かう経路が風呂循環往路１３０ａであり、風呂用熱交換器１２４から浴槽１２８へ向かう経路が風呂循環復路１３０ｂである。風呂循環往路１３０ａには、風呂水位センサ１３２、風呂循環ポンプ１３４、風呂水流スイッチ１３６、風呂循環サーミスタ１３８が介装されている。風呂水位センサ１３２は、風呂循環経路１３０内の温水の水圧を検出する。風呂水位センサ１３２の検出信号はコントローラ１４６に出力される。風呂水位センサ１３２によって検出される水圧は、浴槽１２８内の温水の水位を推定するために利用される。風呂循環ポンプ１３４は、風呂循環経路１３０内の温水を循環させる。風呂循環ポンプ１３４は、リモコン１４８のスイッチの操作に伴って駆動される。風呂循環ポンプ１３４の駆動はコントローラ１４６によって制御される。風呂水流スイッチ１３６は、風呂循環経路１３０内を温水が流れるとオンとなる。風呂水流スイッチ１３６のオンオフ信号はコントローラ１４６に出力される。風呂循環サーミスタ１３８は、風呂用熱交換器１２４の上流側に配置されて、風呂用熱交換器１２４に入水する温水の温度を検出する。風呂循環サーミスタ１３８の検出信号はコントローラ１４６に出力される。
【００４１】
給湯経路４６と風呂循環経路１３０は、湯張り経路１４０によって接続されている。湯張り経路１４０の上流端は給湯経路４６の給湯サーミスタ５４の下流側に接続されており、湯張り経路１４０の下流端は風呂循環経路１３０の風呂循環往路１３０ａの風呂循環ポンプ１３４と風呂水流スイッチ１３６との間に接続されている。湯張り経路１４０には、湯張り量センサ１４２、注湯電磁弁１４４が介装されている。湯張り量センサ１４２は、湯張り経路１４０を通過する温水の流量を検出する。湯張り量センサ１４２の検出信号はコントローラ１４６に出力される。注湯電磁弁１４４は、リモコン１４８のスイッチの操作や浴槽１２８内の温水の水位によって開閉する。注湯電磁弁１４４の開閉はコントローラ１４６によって制御される。
【００４２】
以下では給湯ユニット１０が行う発電熱回収運転、給湯運転、暖房運転、風呂湯張り運転、風呂追焚き運転、第１保護運転、第２保護運転等の各種運転について説明する。
【００４３】
（発電熱回収運転）
発電熱回収運転の概略について説明する。発電ユニット１５０において発電運転が行われると、熱媒循環経路１５２内の熱媒が循環し、熱回収用熱交換器１５４の熱媒側経路に高温の熱媒が流入する。給湯ユニット１０では、熱回収循環ポンプ５８が駆動され、貯湯タンク１４内の温水が、貯湯タンク１４の底部から熱回収循環往路５６ａへ吸い出される。熱回収循環往路５６ａ内の温水は、熱回収用熱交換器１５４の水側経路へ流入して加熱される。加熱された温水は熱回収循環復路５６ｂを経て貯湯タンク１４の頂部へ戻される。これによって、発電ユニット１５０において発電に伴って発生する発電熱が貯湯タンク１４内へ回収されて蓄熱される。
【００４４】
（給湯運転）
給湯運転の概略について説明する。給湯栓４４が開かれて給水量センサ３０の検出水量が２．７リットル／ｍｉｎ以上となると、給湯要求がなされたものと判断して、給湯運転を開始する。温水電磁弁５０を開き、貯湯タンク１４の上部の温水を給湯経路４６に送り出す。給湯サーミスタ５４の検出温度が給湯設定温度となるように、混合サーボ３４の開度が調整される。これによって、貯湯タンク１４の上部から給湯経路４６に送り出された温水が、水道水との混合によって給湯設定温度に調温されて、給湯栓４４に供給される。
【００４５】
タンク上部サーミスタ１５の検出温度が高い場合には、貯湯タンク１４の温水を加熱することなく給湯設定温度で給湯を行うことができる。この場合には、非燃焼給湯運転が行われる。非燃焼給湯運転では、貯湯タンク１４の上部の温水を循環加熱することなく給湯する。すなわち、非燃焼給湯運転では、バーナ７０の燃焼を行わず、バーナ循環ポンプ８０の駆動も行わない。
【００４６】
タンク上部サーミスタ１５の検出温度が低い場合には、給湯設定温度で給湯するためには貯湯タンク１４の温水を加熱する必要があるとみなされる。この場合には、燃焼給湯運転が行われる。燃焼給湯運転では、給湯栓４４への給湯と並行して、貯湯タンク１４の上部の温水を循環加熱する。第１制御弁１７０を開き、バーナ循環ポンプ８０を駆動して、バーナ７０を燃焼させることで、貯湯タンク１４の上部の温水を循環加熱する。
【００４７】
給湯中に給水量センサ３０の検出流量が２．０リットル／ｍｉｎ以下となると、給湯栓４４が閉じられたと判断する。燃焼給湯運転を行っていた場合には、バーナ７０を消火して、バーナ循環ポンプ８０を停止する。その後、温水電磁弁５０を閉じて、給湯運転を終了する。
【００４８】
（暖房運転）
暖房運転の概略について説明する。リモコン１４８のスイッチの操作によって暖房端末機１１０の運転要求がなされると、バーナ循環ポンプ８０を駆動して、バーナ部６８に温水が送り出される。バーナ部６８に送り出された温水は、必要に応じて加熱され、暖房用熱交換器１１４の水側経路へ送られる。暖房用熱交換器１１４での熱交換によって冷却された温水は、熱交換器出口サーミスタ９０の検出温度に応じて、第２制御弁１６０を開いて貯湯タンク１４の上部に戻されることもあるし、第４制御弁１６４を開いて貯湯タンク１４の下部に戻されることもあるし、第３制御弁１６２を開いて貯湯タンク１４をバイパスしてバーナ部６８に戻されることもある。
【００４９】
また暖房端末機１１０の暖房熱動弁１２０が開かれ、暖房循環ポンプ１１６が駆動されて、シスターン１００内の熱媒が暖房用熱交換器１１４の熱媒側経路に送り出される。暖房用熱交換器１１４での熱交換によって加熱された熱媒は、暖房端末機１１０での暖房に利用される。暖房端末機１１０を通過した熱媒は、シスターン１００へ戻る。
【００５０】
リモコン１４８のスイッチの操作によって、暖房端末機１１０の運転停止要求がなされると、バーナ７０が燃焼していれば消火し、バーナ循環ポンプ８０を停止し、暖房熱動弁１２０を閉じ、暖房循環ポンプ１１６を停止して、暖房運転が終了する。
【００５１】
（風呂湯張り運転）
風呂の湯張り運転の概略について説明する。リモコン１４８のスイッチの操作によって風呂の湯張り要求がなされると、注湯電磁弁１４４が開かれるとともに、温水電磁弁５０が開かれる。その後は、給湯運転と同様にして、湯張り設定温度の温水が給湯経路４６、湯張り経路１４０、風呂循環経路１３０を経て、浴槽１２８内に供給される。
【００５２】
湯張り開始からの湯張り量センサ１４２の積算流量が湯張り設定水量に達すると、注湯電磁弁１４４が閉じられるとともに、温水電磁弁５０が閉じられ、湯張り運転が終了する。
【００５３】
（風呂追焚き運転）
風呂の追焚き運転の概略について説明する。リモコン１４８のスイッチの操作によって、風呂の追焚き要求があると、バーナ循環ポンプ８０を駆動して、バーナ部６８に温水が送り出される。バーナ部６８に送り出された温水は、必要に応じて加熱され、暖房用熱交換器１１４の水側経路へ送られる。暖房用熱交換器１１４での熱交換によって冷却された温水は、熱交換器出口サーミスタ９０の検出温度に応じて、第２制御弁１６０を開いて貯湯タンク１４の上部に戻されることもあるし、第４制御弁１６４を開いて貯湯タンク１４の下部に戻されることもあるし、第３制御弁１６２を開いて貯湯タンク１４をバイパスしてバーナ部６８に戻されることもある。
【００５４】
また追焚き熱動弁１２６が開かれ、暖房循環ポンプ１１６が駆動されて、シスターン１００内の熱媒が暖房用熱交換器１１４の熱媒側経路に送り出される。暖房用熱交換器１１４での熱交換によって加熱された熱媒は、風呂用熱交換器１２４に送られる。風呂用熱交換器１２４での熱交換によって冷却された熱媒は、シスターン１００に戻される。
【００５５】
さらに風呂循環ポンプ１３４が駆動されて、浴槽１２８内の温水が、風呂用熱交換器１２４を通過して、浴槽１２８へ戻される。浴槽１２８から吸い出された温水は、風呂用熱交換器１２４での熱交換によって加熱されて、浴槽１２８へ戻される。
【００５６】
風呂循環サーミスタ１３８の検出温度が追焚き設定温度となると、浴槽１２８内の温水の温度が追焚き設定温度となったとみなされ、バーナ７０が燃焼していれば消火し、バーナ循環ポンプ８０を停止し、追焚き熱動弁１２６を閉じ、暖房循環ポンプ１１６を停止し、風呂循環ポンプ１３４を停止して、風呂の追焚き運転が終了する。
【００５７】
本実施例では、貯湯タンク１４内の温水をバーナ７０に送り出し、バーナ７０で加熱された温水を貯湯タンク１４へ戻すためのバーナ循環経路７６を利用して、暖房循環経路１１２内の熱媒を加熱することができる。また、この暖房循環経路１１２から分岐した風呂の追焚き経路１２２を利用して、浴槽１２８と接続されている風呂循環経路１３０内の温水を加熱することができる。１つの循環経路（バーナ循環経路７６）を多様に活用することができるため、システムの構成を簡素化し、システムをコンパクト化することができる。
【００５８】
本実施例では、バーナ循環復路７６ｂを通る温水の戻り先を、熱交換器出口サーミスタ９０での検出温度に応じて切換えることができる。熱交換器出口サーミスタ９０での検出温度に応じて、温水の戻り先を貯湯タンク１４の上部としたり、貯湯タンク１４の下部としたり、貯湯タンク１４をバイパスしてバーナ循環往路７６ａとしたりすることができる。このように温水の戻り先を切換えることによって、貯湯タンク１４の内部に形成される温度成層状態を崩すことがない。
【００５９】
（第１保護運転）
断水等によって、給水経路２４の給水圧力が低下することがある。給水経路２４の水圧が低下すると、それに伴って貯湯タンク１４内の水圧が低下し、貯湯タンク１４と連通するバーナ循環経路７６の水圧も低下する。暖房用熱交換器１１４の水側経路と熱媒側経路との間の隔壁に孔があいていると、水側経路の水圧が低下することで、熱媒側経路の熱媒（すなわち、暖房運転や風呂の追焚き運転の熱媒として利用されるシスターン１００からの水）が水側経路に浸入し、水側経路の温水が汚染されてしまう。暖房用熱交換器１１４の水側経路の温水が汚染されると、貯湯タンク１４内の温水も汚染されて、その後の給湯に支障をきたすおそれがある。そこで本実施例のコージェネレーションシステム２では、圧力スイッチ３３によって給水経路２４の給水圧力の低下が検出されると、第１保護運転または第２保護運転のいずれかを行い、貯湯タンク１４と連通するバーナ循環経路７６の温水の汚染を防止する。第１保護運転と第２保護運転の何れを実行するかは、リモコン１４８の操作によって使用者が事前に選択しておくことができる。
【００６０】
以下では図２のフローチャートを参照しながら、第１保護運転について説明する。
【００６１】
ステップＳ２０２では、第１制御弁１７０、第２制御弁１６０、第３制御弁１６２、第４制御弁１６４を全て閉じる。ステップＳ２０４では、バーナ循環水量サーボ８４を全開にする。ステップＳ２０６では、バーナ循環ポンプ８０を駆動する。ステップＳ２０２で第１制御弁１７０、第２制御弁１６０、第３制御弁１６２、第４制御弁１６４が全て閉じられているため、バーナ循環ポンプ８０を駆動しても貯湯タンク１４の温水が循環せず、バーナ循環ポンプ８０よりも下流で、かつ第１制御弁１７０、第２制御弁１６０、第３制御弁１６２、第４制御弁１６４よりも上流側の温水が、バーナ循環ポンプ８０の吐出圧によって加圧され、水圧が徐々に上昇していく。
【００６２】
ステップＳ２０８では、バーナ循環ポンプ８０を駆動した状態で、１０秒間待機する。これによって、バーナ循環ポンプ８０の吐出圧が安定し、バーナ循環ポンプ８０と、第１制御弁１７０、第２制御弁１６０、第３制御弁１６２、第４制御弁１６４との間の温水の圧力が安定する。
【００６３】
ステップＳ２１０では、バーナ循環水量サーボ８４を全閉にする。ステップＳ２１２では、バーナ循環ポンプ８０を停止する。ステップＳ２１０でバーナ循環水量サーボ８４が閉じられているので、ステップＳ２１２でバーナ循環ポンプ８０を停止しても、バーナ循環水量サーボ８４と第１制御弁１７０、第２制御弁１６０、第３制御弁１６２、第４制御弁１６４の間の温水は、高い圧力を維持したまま封止される。暖房用熱交換器１１４の水側経路と熱媒側経路の隔壁に孔があいている場合であっても、水側経路の水圧が高く維持されているので、熱媒側経路の熱媒（シスターン１００からの水）が水側経路に浸入することがない。
【００６４】
ステップＳ２１４では、圧力スイッチ３３の検出信号から、給水経路２４の給水圧力が回復したか否かを判断する。給水圧力が低いまま回復していない場合（ＮＯの場合）、ステップＳ２１６へ進む。
【００６５】
ステップＳ２１６では、バーナ循環水量サーボ８４を全閉としてからの経過時間が３０分に達したか否かを判断する。経過時間が３０分に達した場合（ＹＥＳの場合）、ステップＳ２０４へ戻り、バーナ循環ポンプ８０を用いたバーナ循環水量サーボ８４と第１制御弁１７０、第２制御弁１６０、第３制御弁１６２、第４制御弁１６４の間の温水の加圧を再度行う。バーナ循環水量サーボ８４を全閉としてからの経過時間が３０分に満たない場合（ＮＯの場合）、ステップＳ２１４へ戻る。
【００６６】
ステップＳ２１４で給水経路２４の給水圧力が回復している場合（ＹＥＳの場合）、ステップＳ２１８へ進む。ステップＳ２１８では、バーナ循環水量サーボ８４を通常の待機位置に戻して、バーナ循環水量サーボ８４と第１制御弁１７０、第２制御弁１６０、第３制御弁１６２、第４制御弁１６４の間の温水の圧力を解放して、第１保護運転を終了する。
【００６７】
上記の第１保護運転を行うことによって、断水等によって給水経路２４の給水圧力が低下している間、暖房用熱交換器１１４の水側経路の水圧を高く維持することができる。もし暖房用熱交換器１１４の水側経路と熱媒側経路の間の隔壁に孔があいていても、熱媒側経路の熱媒（シスターン１００からの水）が水側経路に浸入することがなく、水側経路の温水の汚染を防ぐことができる。貯湯タンク１４に貯められている温水の汚染を防ぐことができる。またバーナ循環経路７６の配管が熱媒によって汚れてしまうことを防ぐことができる。
【００６８】
なお上記と同様にして熱回収循環経路５６における水側経路への熱媒の浸入を防止することもできる。この場合には、熱回収用熱交換器１５４の下流と、熱回収循環ポンプ５８と熱回収用熱交換器１５４の間にそれぞれ制御弁を設けておく。給水経路２４の給水圧力の低下を検知したときに、熱回収用熱交換器１５４の下流側の制御弁を閉じた状態で熱回収循環ポンプ５８を駆動し、その後に熱回収循環ポンプ５８と熱回収用熱交換器１５４の間の制御弁を閉じることで、熱回収用熱交換器１５４の水側経路の水圧を高く維持することができる。熱回収用熱交換器１５４の水側経路への熱媒の浸入を防ぐことができる。
【００６９】
（第２保護運転）
以下では図３を参照しながら第２保護運転について説明する。
【００７０】
ステップＳ３０２では、混合サーボ３４を水側全開にする。ステップＳ３０４では、温水電磁弁５０を閉じる。これによって、貯湯タンク１４と熱回収循環経路５６、バーナ循環経路７６は密閉された温水回路を形成する。
【００７１】
ステップＳ３０６では、バーナ循環三方弁７８を、入口７８ａと出口７８ｃが連通し、入口７８ｂが非連通である状態に切り替える。
【００７２】
ステップＳ３０８では、タンク上部サーミスタ１５の検出温度が６０℃を下回るか否かを判断する。タンク上部サーミスタ１５の検出温度が６０℃を下回る場合（ＹＥＳの場合）、ステップＳ３１０へ進んで、第１制御弁１７０を開く。タンク上部サーミスタ１５の検出温度が６０℃以上の場合（ＮＯの場合）、ステップＳ３１２へ進んで、第４制御弁１６４を開く。
【００７３】
ステップＳ３１４では、バーナ循環水量サーボ８４を全開にする。ステップＳ３１６では、バーナ循環ポンプ８０を駆動する。これによって、貯湯タンク１４の下部からバーナ部６８に温水が送り出される。バーナ部６８を通過した温水は、ステップＳ３１０で第１制御弁１７０が開かれていれば貯湯タンク１４の上部に流入し、ステップＳ３１２で第４制御弁１６４が開かれていれば貯湯タンク１４の下部に流入する。
【００７４】
ステップＳ３１８では、バーナ循環水量センサ８２の検出流量が２．７リットル／ｍｉｎになるまで待機する。
【００７５】
ステップＳ３２０では、バーナ７０に点火する。バーナ循環経路７６を循環する温水が加熱されて、貯湯タンク１４の温水が温度上昇する。貯湯タンク１４と熱回収循環経路５６、バーナ循環経路７６は密閉された温水回路を形成しているので、温水の温度上昇に伴って温水の圧力も上昇していく。
【００７６】
ステップＳ３２２では、バーナ出口サーミスタ８８の検出温度が７５℃以上であるか否かを判断する。バーナ出口サーミスタ８８の検出温度が７５℃に満たない場合（ＹＥＳの場合）、ステップＳ３２４へ進む。ステップＳ３２２でバーナ出口サーミスタ８８の検出温度が７５℃以上の場合（ＹＥＳの場合）、ステップＳ３２６へ進む。
【００７７】
ステップＳ３２４では、ステップＳ３２０でバーナ７０を点火してから１０分間が経過したか否かを判断する。バーナ７０を点火してから１０分間が経過した場合（ＹＥＳの場合）、ステップＳ３２６へ進む。１０分間が経過していない場合（ＮＯの場合）、ステップＳ３２２へ戻る。
【００７８】
ステップＳ３２２でバーナ出口サーミスタ８８の検出温度が７５℃以上となるか、あるいはステップＳ３２４でバーナ７０を点火してから１０分間が経過するまでの間、バーナ７０による加熱が行われる。これによって、貯湯タンク１４の温水の温度が十分に上昇し、それに伴って温水の圧力も十分に上昇する。
【００７９】
ステップＳ３２６では、バーナ７０を消火する。ステップＳ３２８では、バーナ循環ポンプ８０を停止する。貯湯タンク１４、熱回収循環経路５６およびバーナ循環経路７６の水圧はすでに上昇しているので、バーナ７０を用いた循環加熱を終了した後も、暖房用熱交換器１１４の水側経路や、熱回収用熱交換器１５４の水側経路は、高い水圧で維持される。暖房用熱交換器１１４の水側経路と熱媒側経路の隔壁に孔があいている場合であっても、水側経路の水圧が高く維持されているので、熱媒側経路の熱媒（シスターン１００からの水）が水側経路に浸入することがない。また、熱回収用熱交換器１５４の水側経路と熱媒側経路の隔壁に孔があいている場合であっても、水側経路の水圧が高く維持されているので、熱媒側経路の熱媒が水側経路に浸入することがない。
【００８０】
ステップＳ３３０では、タンク上部サーミスタ１５の温度を記憶する。
【００８１】
ステップＳ３３２では、圧力スイッチ３３の検出信号から、給水経路２４の給水圧力が回復したか否かを判断する。給水圧力が低いまま回復していない場合（ＮＯの場合）、ステップＳ３３４へ進む。
【００８２】
ステップＳ３３４では、タンク上部サーミスタ１５の検出温度が５℃以上低下したか否かを判断する。貯湯タンク１４の温水の温度が低下すると、それに伴って水圧も低下してしまう。そこで、タンク上部サーミスタ１５で温度低下を検出した場合には、バーナ７０による循環加熱を再度行う。タンク上部サーミスタ１５の検出温度が５℃以上低下している場合（ＹＥＳの場合）、ステップＳ３０８へ戻り、バーナ７０を用いた循環加熱による昇圧を再度行う。タンク上部サーミスタ１５の検出温度が５℃以上低下していない場合（ＮＯの場合）、ステップＳ３３２へ戻る。
【００８３】
ステップＳ３３２で給水経路２４の給水圧力が回復している場合（ＹＥＳの場合）、ステップＳ３３６へ進む。ステップＳ３３６では、混合サーボ３４の開度を通常の待機位置に戻して、貯湯タンク１４、熱回収循環経路５６およびバーナ循環経路７６の温水の圧力を解放して、第２保護運転を終了する。
【００８４】
上記の第２保護運転を行うことによって、断水等によって給水経路２４の給水圧力が低下している間、暖房用熱交換器１１４の水側経路および熱回収用熱交換器１５４の水側経路の水圧を高く維持することができる。もし暖房用熱交換器１１４の水側経路と熱媒側経路の間の隔壁に孔があいていたり、熱回収用熱交換器１５４の水側経路と熱媒側経路の間の隔壁に孔があいていても、熱媒側経路の熱媒が水側経路に浸入することがなく、水側経路の温水の汚染を防ぐことができる。貯湯タンク１４に貯められている温水の汚染を防ぐことができる。またバーナ循環経路７６や熱回収循環経路５６の配管が熱媒によって汚れてしまうことを防ぐことができる。
【００８５】
なお上記の第２保護運転において、バーナ７０の燃焼によって温水を加熱する代わりに、発電ユニット１５０の発電運転によって温水を加熱する構成としてもよい。この場合も、貯湯タンク１４の温水の温度上昇に伴って温水の圧力が上昇し、暖房用熱交換器１１４の水側経路や、熱回収用熱交換器１５４の水側経路が、高い水圧で維持される。暖房用熱交換器１１４の水側経路や、熱回収用熱交換器１５４の水側経路への、熱媒の浸入を防ぐことができる。
【００８６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００８７】
【図１】図１は本発明の実施例のコージェネレーションシステムの系統図である。
【図２】図２は第１保護運転の動作を説明するフローチャートである。
【図３】図３は第２保護運転の動作を説明するフローチャートである。
【符号の説明】
【００８８】
２     コージェネレーションシステム
１０   給湯ユニット
１２   貯湯部
１４   貯湯タンク
１５   タンク上部サーミスタ
１６   第１タンクサーミスタ
１８   第２タンクサーミスタ
２０   第３タンクサーミスタ
２２   第４タンクサーミスタ
２４   給水経路
２６   減圧弁
２８   給水サーミスタ
３０   給水量センサ
３２   給水量サーボ
３３   圧力スイッチ
３４   混合サーボ
３６   混合経路
３８   排水経路
４０   排水弁
４２   圧力開放経路
４４   給湯栓
４６   給湯経路
４８   圧力逃し弁
５０   温水電磁弁
５２   高温サーミスタ
５４   給湯サーミスタ
５６   熱回収循環経路
５６ａ 熱回収循環往路
５６ｂ 熱回収循環復路
５８   熱回収循環ポンプ
６０   循環往路サーミスタ
６２   循環復路サーミスタ
６４   熱回収三方弁
６４ａ 入口
６４ｂ、６４ｃ       出口
６６   タンクバイパス経路
６８   バーナ部
７０   バーナ
７２   潜熱熱交換器
７４   顕熱熱交換器
７６   バーナ循環経路
７６ａ バーナ循環往路
７６ｂ バーナ循環復路
７７   第１バーナ循環往路
７８   バーナ循環三方弁
７８ａ，７８ｂ       入口
７８ｃ 出口
７９   第２バーナ循環往路
８０   バーナ循環ポンプ
８２   バーナ循環水量センサ
８３   バーナ入口サーミスタ
８４   バーナ循環水量サーボ
８８   バーナ出口サーミスタ
９０   熱交換器出口サーミスタ
９２   ドレン経路
９４   中和器
９８   オーバーフロー経路
１００ シスターン
１０２ シスターン給水経路
１０４ 負圧弁
１０６ シスターン給水弁
１０８ 熱負荷
１１０ 暖房端末機
１１２ 暖房循環経路
１１２ａ      暖房循環往路
１１２ｂ      暖房循環復路
１１４ 暖房用熱交換器
１１６ 暖房循環ポンプ
１１８ 暖房循環サーミスタ
１２０ 暖房熱動弁
１２２ 追焚き経路
１２４ 風呂用熱交換器
１２６ 追焚き熱動弁
１２８ 浴槽
１３０ 風呂循環経路
１３０ａ      風呂循環往路
１３０ｂ      風呂循環復路
１３２ 風呂水位センサ
１３４ 風呂循環ポンプ
１３６ 風呂水流スイッチ
１３８ 風呂循環サーミスタ
１４０ 湯張り経路
１４２ 湯張り量センサ
１４４ 注湯電磁弁
１４６ コントローラ
１４８ リモコン
１５０ 発電ユニット
１５２ 熱媒循環経路
１５４ 熱回収用熱交換器
１６０ 第２制御弁
１６２ 第３制御弁
１６４ 第４制御弁
１６６ 第２タンクバイパス経路
１６８ 第２バーナ循環復路
１７０ 第１制御弁
１７２ 暖房バイパス経路
１７４ 暖房熱交換経路
【図１】
0005107759.tif 000002
【図２】
0005107759.tif 000003
【図３】
0005107759.tif 000004